(57)【要約】【課題】高輝度の赤、緑、青の三色光ＬＥＤを白色光に合成した光源による発光効率が大きく、白色光ＬＥＤの光源と比べて使用寿命が長い街路灯を提供する。【解決手段】街路灯本体１は、路面上の一定の高さの所に設置され、路面に対向する底部に開口部１１１を有する。放熱ユニット２は、街路灯本体１の中に配置され、開口部１１１に対応する。定流電源３は、安定した電流を供給するため街路灯本体１の中に配置される。街路灯本体１の開口部１１１に向かい合う所には、放熱ユニット２と連結されたＬＥＤランプ板４が設けられる。ＬＥＤランプ板４は、放熱ユニット２に向かい合う一側面において電気的に接続される赤色光、緑色光、青色光の三色のＬＥＤランプ４１をそれぞれ多数有する。赤色光、緑色光、青色光の三色のＬＥＤランプ４１はそれぞれ直列または並列もしくは直列と並列との両方で接続され、定流電源３によって駆動される。【選択図】図２
2009245846.tif 000002
【特許請求の範囲】
【請求項１】
街路灯本体、放熱ユニット、定流電源及びＬＥＤランプ板を備え、
路面上の一定の高さの所に設置され、路面に対向する底部に開口部を有しする街路灯本体と、
前記街路灯本体の中に配置されて前記開口部に対応した放熱ユニットと、
前記街路灯本体の中に配置されて安定した電流を供給する定流電源と、
前記街路灯本体において前記開口部に向かい合う所に設けられ、前記放熱ユニットと接続されたＬＥＤランプ板と、を備え、
前記ＬＥＤランプ板は、前記放熱ユニットに向かい合う一側面において電気的に接続される赤、緑、青の三色光ＬＥＤランプを有し、前記赤、緑、青の三色光ＬＥＤランプがそれぞれ、直列または並列に、もしくは直列及び並列の両方で接続され、定流電源によって駆動されることを特徴とする白色光のＬＥＤ街路灯。
【請求項２】
前記ＬＥＤランプ板の上の前記赤、緑、青の三色光ＬＥＤランプは、均等に配列されることを特徴とする請求項１に記載の白色光のＬＥＤ街路灯。
【請求項３】
前記赤、緑、青の三色光ＬＥＤランプのうち、赤色光ＬＥＤランプの波長は６１０ｎｍから６４０ｎｍであり、緑色光ＬＥＤランプの波長は５１０ｎｍから５４０ｎｍであり、青色光ＬＥＤランプの波長は４５０ｎｍから４８０ｎｍであることを特徴とする請求項１に記載の白色光のＬＥＤ街路灯。
【請求項４】
前記ＬＥＤランプ板の上の前記赤、緑、青の三色光ＬＥＤランプの総輝度比をＲ：Ｇ：Ｂとすると、２≦Ｒ≦４、５≦Ｇ≦７、及び０．５≦Ｂ≦２であることを特徴とする請求項１に記載白色光のＬＥＤ街路灯。
【請求項５】
前記赤、緑、青の三色光ＬＥＤランプの照射光による照射面の形は楕円形であることを特徴とする請求項１に記載の白色光のＬＥＤ街路灯。
【請求項６】
前記街路灯本体はさらにケースとカバーとを有し、
前記ケースはアームによって路面上の一定の高さの所に設置され、かつ、前記ケースは路面に対する底部に前記開口部を有し、
前記定流電源と前記ＬＥＤランプ板とは前記ケースの中に配置され、
前記ＬＥＤランプ板の上の数多くのＬＥＤランプは前記開口部に対応し、
前記放熱ユニットは前記ＬＥＤランプ板に対応する前記ケースの外側に装着されることを特徴とする請求項１に記載の白色光のＬＥＤ街路灯。
【請求項７】
前記ＬＥＤランプ板は、前記ＬＥＤランプが配置された一側面に軟膏状の導熱シリコン樹脂及び柔軟性の導熱シリコンフィルムを被せることにより前記放熱ユニットと接続されることを特徴とする請求項６に記載の白色光のＬＥＤ街路灯。
【請求項８】
前記ケースは、前記開口部にすりガラスを有することを特徴とする請求項６に記載の白色光のＬＥＤ街路灯。
【発明の詳細な説明】
【技術分野】
【０００１】
本発明は、街路灯に関し、特に赤、緑、青の三色光発光ダイオード（以下、「発光ダイオード」を「ＬＥＤ」という。）によって合成される白色光のＬＥＤ街路灯に関する。
【背景技術】
【０００２】
現代においては、都市開発に伴い、道路建設の速さと品質を向上させ、夜間の交通をより安全にすることが求められるため、道路の両側に街路灯を設置することが必要である。近年、半導体技術の急速な進展に伴い、ＬＥＤ照明技術が伝統の照明器材に代わって活躍する傾向にある。ＬＥＤを利用する照明具は、安定性が高い、ちらつき現象が発生しない、色彩が多様である、色彩の表現に優れている、調節・制御が簡単であるという長所がある。また、ＬＥＤは点光源で、発光角度を制御しやすいため、特定の発光角度の光源を部分照明として使用することにより、光源に生じた光をより効果的に利用することが可能なだけでなく、比較的小さい電力により部分照明効果を満足させ、省エネルギーを実現させることが可能である。
【０００３】
従来、一般に街路灯は高圧ナトリウム灯及び各種の蛍光灯または白熱灯を採用したものであるが、その発光効率は僅か３０％であり、ほかの電気エネルギーは熱エネルギーに変換して消耗されてしまう。それに対し、近年ＬＥＤを街路灯として使用することにより省エネルギーを図るという傾向が強くなっている。ＬＥＤ街路灯は発光効率が高い、消耗電量が低い、反応速度が速い、使用寿命が長い、安全性が高い、環境保護に相応しいなどの特性があるため、ＬＥＤ街路灯は照明市場において潜在力が極めて大きい新世代の製品であるといえる。
【０００４】
しかし、従来のＬＥＤ街路灯は白色光ＬＥＤを光源として採用し、かつ高輝度の需要を満たすように、１ワット、２ワットなど使用電力の大きい白色光ＬＥＤを組み合せて光源を作ることが一般的である。白色光ＬＥＤの発光原理は青色光チップに蛍光粉を加えることである。青色光チップは別の色のＬＥＤチップより輝度が低い。かつ蛍光粉は蛍光減衰が比較的大きいため、白色光ＬＥＤの光の減衰も比較的大きい。また使用電力の大きいＬＥＤの発熱量は普通のＬＥＤよりも高い。
従って、如何に上述の問題を解決するかということが本発明の課題である。
【発明の開示】
【発明が解決しようとする課題】
【０００５】
上述の問題を解決するため、本発明の主な目的は、高輝度の赤、緑、青の三色光ＬＥＤを白色光または暖白色光に合成して生成した街路灯の光源により、発光効率が大きく、白色光ＬＥＤの光源と比べて使用寿命が長い白色光のＬＥＤ街路灯を提供することである。
【課題を解決するための手段】
【０００６】
上述の目的を達成するために、本発明は街路灯本体、放熱ユニット、定流電源及びＬＥＤランプ板を備える。
街路灯本体は路面上の一定の高さの所に設置され、かつ街路灯本体は路面に対向する底部に開口部を有する。放熱ユニットは街路灯本体の中に配置され、かつ開口部に対応する。定流電源は安定した電流を供給するため街路灯本体の中に配置される。その特徴は次の通りである。街路灯本体は開口部に向かい合う所に放熱ユニットと接続するＬＥＤランプ板を有する。ＬＥＤランプ板は放熱ユニットに向かい合う一側面において電気的に接続される赤、緑、青の三色光ＬＥＤランプを多数有する。赤、緑、青の三色光ＬＥＤランプはそれぞれ直列または並列もしくは直列と並列との両方で接続され、定流電源によって駆動される。
【０００７】
（発明の効果）
本発明による赤、緑、青の三色光ＬＥＤは発光効率が高い。同じ電力及び条件の下では、白色光ＬＥＤから構成され使用電力の大きい街路灯と比べて、光源照度を１．５倍から３倍高めることができる。また、白色光ＬＥＤの光の減衰、及び、使用電力の大きいＬＥＤの発熱の問題を効果的に解決することができるうえに、省エネルギー効果が著しく、使用寿命が白色光ＬＥＤより長い。また赤、緑、青の三色光によって合成される光源は色彩が鮮明で、色彩の表現性に優れている。
【発明を実施するための最良の形態】
【０００８】
（一実施例）
以下、本発明の一実施例について、図面を用いて具体的に説明する。
図１と図２に示すような、本発明が採用した実施例の構造は説明のための一例に過ぎないため、本発明の権利範囲を制限するものではない。
図１、２に示すように、本実施例によると、赤、緑、青の三色光ＬＥＤによって合成される白色光のＬＥＤ街路灯は、街路灯本体１、放熱ユニット２、定流電源３及びＬＥＤランプ板４を備える。
【０００９】
街路灯本体１は、路面上の一定の高さの所に設置され、かつ街路灯本体１は路面に対向する底部に開口部１１１を有する。放熱ユニット２は、街路灯本体１の中に配置され、かつ開口部１１１に対応する。定流電源３は、安定した電流を供給するため街路灯本体１の中に配置される。その特徴は次の通りである。街路灯本体１は、開口部１１１と向かい合う位置に、放熱ユニット２と連結されたＬＥＤランプ板４を有する。ＬＥＤランプ板４は、放熱ユニット２に向かい合う一側面において電気的に接続される赤色光、緑色光、青色光の三色のＬＥＤランプ４１をそれぞれ多数有する。赤色光、緑色光、青色光の三色のＬＥＤランプ４１はそれぞれ直列または並列もしくは直列と並列との両方で接続され、定流電源３によって駆動される。
【００１０】
本実施例では、街路灯本体１はさらにケース１１とカバー１２を有する。ケース１１は、アーム７によって路面上の一定の高さの所に設置される。ケース１１は、路面に対する底部に開口部１１１を有する。定流電源３及びＬＥＤランプ板４は、ケース１１の中に配置される。ＬＥＤランプ板４の上の数多くのＬＥＤランプ４１は、開口部１１１に対応する。放熱ユニット２は、ＬＥＤランプ板４に対応するケース１１の外側に装着される。また、ＬＥＤランプ板４のＬＥＤランプ４１が配置された一側面に軟膏状の導熱シリコン樹脂及び柔軟性の導熱シリコンフィルム５を被せることにより、ＬＥＤランプ板４は放熱ユニット２と接続される。ＬＥＤランプ４１は、はんだ付けによってＬＥＤランプ板４に電気的に接続される。ケース１１は、放熱ユニット２の上方にカバー１２を有する。ケース１１は、開口部１１１にすりガラス６を有する。
【００１１】
ＬＥＤランプ板４の上の赤色光、緑色光、青色光の三色のＬＥＤランプ４１は、均等に配列される。そのうちの赤色光のＬＥＤランプ４１の波長は６１０ｎｍから６４０ｎｍであり、緑色光のＬＥＤランプ４１の波長は５１０ｎｍから５４０ｎｍであり、青色光のＬＥＤランプ４１の波長は４５０ｎｍから４８０ｎｍである。ＬＥＤの波長及び電流によって、ＬＥＤランプ板４の上の赤色光、緑色光、青色光の三色のＬＥＤランプ４１の輝度を一定の輝度比の範囲で調節し、白色光または暖白色光を生成する。赤色光、緑色光、青色光の三色のＬＥＤランプ４１のそれぞれの総輝度の比Ｒ：Ｇ：Ｂの範囲は、２≦Ｒ≦４、５Ｇ≦７、０．５≦Ｂ≦２である。本実施例では赤、緑、青の輝度比をＲ：Ｇ：Ｂ＝３：６：１とする。
【００１２】
各ＬＥＤランプ４１は定流電源によって駆動されるため、ちらつき現象が発生することなく均質に発光し、本実施例によると街路灯の使用における用途・要求に応じることが可能なだけでなく、従来のＬＥＤ街路灯のＬＥＤランプと比べて使用寿命が長くなる。また道路照明の要求に応じるため、楕円形のレンズを用いると、発光面が楕円形になり、かつ、電力が８０ＷであるＬＥＤ街路灯を使用することができる。このＬＥＤ光源から１０メートルでの中心照度は４２Ｌｕｘより大きく、照射面が楕円形であるため、街路灯の要求を大いに満足させることができる。
【００１３】
またＬＥＤランプ板４は、軟膏状の導熱シリコン樹脂及び柔軟性の導熱シリコンフィルム５によって放熱ユニット２に接続されるため、ＬＥＤランプ４１の熱エネルギーをよりよく導き出すことが可能であり、かつ、すりガラス６によって二次混色を行うため、表示した光色と実際の光色との一致がより良好に実現する。
【図面の簡単な説明】
【００１４】
【図１】本発明の一実施例の外観を示す模式図である。
【図２】本発明の一実施例の構造を示す断面の模式図である。
【符号の説明】
【００１５】
１：街路灯本体、  １１：ケース、  １１１：開口部、  １２：カバー、  ２：放熱ユニット、  ３：定流電源、  ４：ＬＥＤランプ板、  ４１：ＬＥＤランプ、  ５：導熱シリコンフィルム、  ６：すりガラス
【図１】
2009245846.tif 000003
【図２】
2009245846.tif 000004